(57)【要約】【課題】押圧部材の保持力が高く、シート材と原稿載置台が密着して貼りついても、原稿送り装置又は圧板を開けた時に、押圧部材が外れることがなく、操作性の良い画像読取装置及び画像形成装置を提供する。【解決手段】押圧部材は、弾性部材４の表裏面にそれぞれ異なる色の可撓性シート５ａ、５ｂが設けられ、前記可撓性シート５ａ、５ｂが、弾性部材４の外周に対して突出しており、前記突出部にて原稿送り装置の底面３に保持される画像読取装置３００及び画像形成装置１００である。【選択図】図１
2008042693.tif 000002
【特許請求の範囲】
【請求項１】
原稿を載置する原稿載置台と、
前記原稿を読み取る読取部と、
原稿送り装置と、
前記原稿載置台上に置かれた原稿を前記原稿載置台に押圧する押圧面を有し、異なる色で構成された２面を有する押圧部材と、
を有し、
前記押圧部材が、前記原稿送り装置の底面に着脱自在に保持され、
前記押圧面が、選択的に変更可能に設けられている
画像読取装置において、
前記押圧部材は、
弾性部材の表裏面にそれぞれ異なる色の可撓性シートが設けられ、
前記可撓性シートが、弾性部材の外周に対して突出しており、
前記突出部にて前記原稿送り装置の底面に保持される
ことを特徴とする画像読取装置。
【請求項２】
請求項１に記載の画像読取装置において、
前記可撓性シートの突出部が、前記原稿送り装置の底面の一部に設けられた爪部に嵌合し、保持されている
ことを特徴とする画像読取装置。
【請求項３】
請求項２に記載の画像読取装置において、
前記爪部が収まる切欠きが、可撓性シートに設けられている
ことを特徴とする画像読取装置。
【請求項４】
請求項１乃至３のいずれか一つに記載の画像読取装置において、
前記原稿送り装置の底面の少なくとも１箇所に凹部があり、
前記凹部に粘着性部材を配し、前記押圧部材を着脱自在に保持する
ことを特徴とする画像読取装置。
【請求項５】
請求項４に記載の画像読取装置において、
前記粘着性部材が、粘着性のある超軟質ゴムである
ことを特徴とする画像読取装置。
【請求項６】
画像形成装置は、
請求項１乃至５のいずれか一つに記載の画像読取装置を有する
ことを特徴とする画像形成装置。
【発明の詳細な説明】
【技術分野】
【０００１】
本発明は、複写機、ファクシミリ、スキャナ等の画像読取装置及び画像形成装置に関し、原稿を原稿載置台に押圧する押圧部材を備えている画像読取装置及び画像形成装置に関するものである。
【背景技術】
【０００２】
従来では、画像読取装置や複写機等の装置において、原稿として薄い両面原稿の読取りを行う場合、原稿の第１面の読取り時に、その裏の第２面の画像情報が透けて移り込んでしまう画像品質が劣化する問題があった。
その問題を解決するために、特許文献１には、原稿載置台上に密着させる押圧面を２面有する押圧部材が着脱自在に備えられ、薄い両面原稿の読取り時には裏移りの画像劣化を防止するために黒色の押圧面を選択的に使用することが提案されている。
図７は、従来の画像読取装置を示す図である。図７において、６は原稿送り装置又は圧板を開閉するためのヒンジ、６ａはその回転支点である。モータ１０とタイミングプーリ１１によりタイミングベルト９を介して、光学ユニット７がガイド８に沿って移動して、原稿載置台１上に置かれた原稿２の画像情報を読取る。１２は、画像読取装置の筐体である。
【０００３】
しかしながら、上記のような従来技術の場合には、以下のような問題がある。
通常、機器を使用していない場合は、原稿送り装置又は圧板は閉じられた状態であり、原稿載置台には原稿が置かれていないために押圧部材のシート材と原稿載置台が密着して貼りついてしまうことがある。
また、従来技術においては、図７に示すように押圧部材は、弾性部材４の表裏面のそれぞれの面に２種類の第１シート材５ａ、第２シート材５ｂを配した構成であり、原稿圧板部に設けられた案内支持手段１４と弾性部材４に設けられた溝部の嵌合により、押圧部材が着脱自在に保持されている。原稿２を原稿載置台１に密着させるためには、上記弾性部材４は高弾性である必要性があり、シート材５ａと原稿載置台が密着して貼りついてしまう場合、弾性部材４と案内支持手段１４の嵌合部分の保持力よりシート材５ａと原稿載置台１の密着力の方が大きくなり、原稿送り装置又は圧板を開く時に、原稿送り装置又は圧板から押圧部材が外れてしまう問題がある。
押圧部材を硬いものにすれば、原稿送り装置又は圧板を開く時に押圧部材が外れなくなるが、その場合は原稿載置台への原稿の密着性が低下することになる。また、シート状の磁石部材を用いて保持することが提案されているが、構成が複雑であり高コストとなってしまうという問題点がある。
【０００４】
【特許文献１】特開２００３−７５９３９号公報
【発明の開示】
【発明が解決しようとする課題】
【０００５】
そこで、本発明は前記問題点に鑑みてなされたものであり、その課題は、押圧部材の保持力が高く、シート材と原稿載置台が密着して貼りついても、原稿送り装置又は圧板を開けた時に、押圧部材が外れることがなく、操作性の良い画像読取装置及び画像形成装置を提供することである。
【課題を解決するための手段】
【０００６】
前記課題を解決する手段である本発明の特徴を以下に挙げる。
本発明は、原稿を載置する原稿載置台と、前記原稿を読み取る読取部と、原稿送り装置と、前記原稿載置台上に置かれた原稿を前記原稿載置台に押圧する押圧面を有し、異なる色で構成された２面を有する押圧部材と、を有し、前記押圧部材が、前記原稿送り装置の底面に着脱自在に保持され、前記押圧面が、選択的に変更可能に設けられている画像読取装置において、前記押圧部材は、弾性部材の表裏面にそれぞれ異なる色の可撓性シートが設けられ、前記可撓性シートが、弾性部材の外周に対して突出しており、前記突出部にて前記原稿送り装置の底面に保持されることを特徴とする画像読取装置である。
本発明は、前記可撓性シートの突出部が、前記原稿送り装置の底面の一部に設けられた爪部に嵌合し、保持されていることを特徴とする。
本発明は、前記爪部が収まる切欠きが、可撓性シートに設けられていることを特徴とする。
本発明は、前記原稿送り装置の底面の少なくとも１箇所に凹部があり、前記凹部に粘着性部材を配し、前記押圧部材を着脱自在に保持することを特徴とする。
本発明は、前記粘着性部材が、粘着性のある超軟質ゴムであることを特徴とする。
本発明は、前記記載の画像読取装置を有することを特徴とする画像形成装置である。
【発明の効果】
【０００７】
本発明は、前記解決するための手段によって、押圧部材の保持力が高く、シート材と原稿載置台が密着して貼りついても、原稿送り装置又は圧板を開けた時に、押圧部材が外れることがなく、操作性の良い画像読取装置及び画像形成装置を提供することが可能となった。
【発明を実施するための最良の形態】
【０００８】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【０００９】
本発明を実施例に基づいて説明する。
図１は、本発明の画像読取装置を示す図である。図１に示す実施例においては、押圧部材は、弾性部材４の表裏面のそれぞれの面に、２種類の可撓性のある第１シート材５ａ、第２シート材５ｂが配されている。第１シート材５ａ、第２シート材５ｂは、２辺において弾性部材４の外周に対して突出しており、その突出部にて、原稿送り装置の底面３又は圧板に設けられた爪部３ａに嵌合して着脱自在に保持される。原稿送り装置のその他の部分については図を省略している。
このように、原稿を載置する原稿載置台１と、読取部と、原稿送り装置を有し、原稿載置台上に置かれた原稿を原稿載置台１に押圧する押圧面として、それぞれ異なる色で構成された２面有する押圧部材が原稿送り装置の底面３に着脱自在に保持され、その押圧面が選択的に変更可能に設けられ、その押圧部材には、弾性部材４の表裏面にそれぞれ色の異なる可撓性シート５ａ、５ｂが設けられ、弾性部材４の外周に対して可撓性シート５ａ、５ｂが突出しており、その突出部にて原稿送り装置の底面３に保持されている。これにより、弾性部材４の部分ではなく、可撓性シート５ａ、５ｂの部分にて着脱自在に保持されるので、その保持力は高く、可撓性シート５ａ、５ｂと原稿載置台が密着して貼りついても、原稿送り装置又は圧板を開けた時に、押圧部材が外れることがなく、操作性の良い画像読取装置を提供できる。
【００１０】
図２は、押圧部材の斜視図、図３は、原稿送り装置又は圧板の底面に押圧部材が取り付けられた状態の斜視図である。嵌合部をわかりやすくするために、この斜視図においては第１シート５ａを省略している。
図２から、弾性部材４の表裏面のそれぞれの面に、可撓性のある第１シート材５ａ、第２シート材５ｂを有している。また、第２シート材５ｂの突出部を爪部３ａで嵌合して、原稿送り装置の底面３又は圧板に保持している。
このように、弾性部材４に対して可撓性シート５ａ、５ｂが突出し、原稿送り装置の底面３の一部に設けられた爪部３ａに可撓性シート５ａ、５ｂの突出部が嵌合し保持されていることにより、保持のための追加部品を用いることなく、簡単な構成にて押圧部材を着脱自在に保持できるため、低コストで操作性の良い画像読取装置を提供できる。
【００１１】
図４は、本発明の画像読取装置を示す図である。図４に示す実施例においては、押圧部材は弾性部材４の表裏面のそれぞれの面に２種類の可撓性のある第１シート材５ａ、第２シート材５ｂが配されている。第１シート材５ａ、第２シート材５ｂは、１辺において弾性部材４の外周に対して突出している。
押圧部材は１辺をその突出部分にて原稿送り装置の底面３又は圧板に設けられた爪部３ａに嵌合し、その反対側において、原稿送り装置の底面３に設けられた凹部に嵌め込まれた粘着性ゴム１３に第２シート材５ｂが貼りつくことで、着脱自在に保持されている。
このように、原稿送り装置の底面３の少なくとも１箇所に凹部があり、その凹部に粘着性部材１３を有し、押圧部材を着脱自在に保持することにより、押圧部材の着脱は、片側を原稿送り装置の底面に設けられた爪部３ａに差込み、あとは押圧部材を押しつけて粘着性部材１３に貼り付けることで、保持されることからより押圧部材の着脱が簡易に行え、操作性（着脱性）の良い画像読取装置を提供できる。
【００１２】
また、粘着性ゴム１３は、粘着性のある超軟質ゴムであり、水拭きして乾かせば粘着力が復活する特性をもったゴムである。
このように、原稿送り装置の底面３の少なくとも１箇所の凹部に配された粘着性部材１３が粘着性のある超軟質ゴムとしている。これにより、押圧部材を着脱自在に保持するために、粘着性のある超軟質ゴムを用いているため、粘着性部材１３の表面に汚れ等が付着した場合でも、水拭き等を行い、乾かせば粘着力が復活するので粘着性が低下して、原稿送り装置又は圧板の開閉操作により押圧部材が外れてしまうことがなく、操作性の良い画像読取装置を提供できる。
【００１３】
図５は、シート材と原稿送り装置の嵌合を示す図である。図５に示す実施例においては、弾性部材４より突出している第１シート材５ａ、第２シート材５ｂに切欠きを設けており、その部分にて原稿送り装置の底面３に設けられた爪部３ａに嵌合しているので、押圧部材を前後左右および上下すべての方向に対して規制して、着脱自在に保持できる。
このように、弾性部材４に対して可撓性シート５ａ、５ｂが突出し、原稿送り装置の底面３の一部に設けられた爪部３ａに可撓性シート５ａ、５ｂの突出部が嵌合し保持され、原稿送り装置の底面３に設けられた爪部３ａが収まる切欠きが、可撓性シート５ａ、５ｂに設けられていることにより、原稿送り装置の底面３又は圧板に取り付けられた押圧部材は、前後左右および上下すべての方向に対して規制して、着脱自在に保持できるため、より操作性の良い画像読取装置を提供できる。
【００１４】
図６は、本発明の画像形成装置構成を示す図である。図中符号１００は画像形成装置本体、２００はそれを載せる給紙テーブル、３００は画像形成装置本体１００上に取り付ける画像読取装置である。
画像形成装置本体１００には、中央に、無端ベルト状の中間転写体１０４を設ける。図６に示すとおり、図示例では３つの支持ローラ１１４、１１５、１１６に掛け回して図中時計回りに回転搬送可能とする。
この図示例では、３つのうち第２の支持ローラ１１５の左に、画像転写後に中間転写体１０４上に残留する残留トナーを除去する中間転写体クリーニング装置１７を設ける。
また、３つのうちの第１の支持ローラ１１４と第２の支持ローラ１１５間に張り渡した中間転写体１０４上には、その搬送方向に沿って、ブラック、シアン、マゼンタ、イエローの４つの画像形成手段１８を横に並べて配置してタンデム画像形成装置２０を構成する。そのタンデム画像形成装置２０の上には、図６に示すように、さらに露光装置２１を設ける。
【００１５】
一方、中間転写体１０４を挟んでタンデム画像形成装置２０と反対の側には、２次転写装置２２を備える。２次転写装置２２は、図示例では、２つのローラ２３間に、無端ベルトである２次転写ベルト２４を掛け渡して構成し、中間転写体１０４を介して第３の支持ローラ１１６に押し当てて配置し、中間転写体１０４上の画像をシートに転写する。
２次転写装置２２の横には、シート上の転写画像を定着する定着装置２５を設ける。定着装置２５は、無端ベルトである定着ベルト２６に加圧ローラ２７を押し当てて構成する。
上述した２次転写装置２２には、画像転写後のシートをこの定着装置２５へと搬送するシート搬送機能も備えてなる。もちろん、２次転写装置２２として、非接触のチャージャを配置してもよく、そのような場合は、このシート搬送機能を併せて備えることは難しくなる。
なお、図示例では、このような２次転写装置２２および定着装置２５の下に、上述したタンデム画像形成装置２０と平行に、シートの両面に画像を記録すべくシートを反転するシート反転装置２８を備える。
【００１６】
このカラー画像形成装置を用いてコピーをとるときは、原稿送り装置の原稿台上に原稿をセットする。または、原稿送り装置を開いて画像読取装置３００で、原稿内容を読取る。
また、不図示のスタートスイッチを押すと、不図示の駆動モータで支持ローラ１１４、１１５、１１６の１つを回転駆動して他の２つの支持ローラを従動回転し、中間転写体１０４を回転搬送する。同時に、個々の画像形成手段１８でその感光体１０１を回転して各感光体１０１上にそれぞれ、ブラック、イエロー、マゼンタ、シアンの単色画像を形成する。そして、中間転写体１０４の搬送とともに、それらの単色画像を順次転写して中間転写体１０４上に合成カラー画像を形成する。
一方、不図示のスタートスイッチを押すと、給紙テーブル２００の給紙ローラ４２の１つを選択回転し、ペーパーバンク４３に多段に備える給紙カセット４４の１つからシートを繰り出し、分離ローラ４５で１枚ずつ分離して給紙路４６に入れ、搬送ローラ４７で搬送して画像形成装置本体１００内の給紙路４８に導き、レジストローラ４９に突き当てて止める。
または、給紙ローラ５０を回転して手差しトレイ５１上のシートを繰り出し、分離ローラ５２で１枚ずつ分離して手差し給紙路５３に入れ、同じくレジストローラ４９に突き当てて止める。
そして、中間転写体１０４上の合成カラー画像にタイミングを合わせてレジストローラ４９を回転し、中間転写体１０４と２次転写装置２２との間にシートを送り込み、２次転写装置２２で転写してシート上にカラー画像を記録する。
【００１７】
画像転写後のシートは、２次転写装置２２で搬送して定着装置２５へと送り込み、定着装置２５で熱と圧力とを加えて転写画像を定着した後、切換爪５５で切り換えて排出ローラ５６で排出し、排紙トレイ５７上にスタックする。または、切換爪５５で切り換えてシート反転装置２８に入れ、そこで反転して再び転写位置へと導き、裏面にも画像を記録した後、排出ローラ５６で排紙トレイ５７上に排出する。
一方、画像転写後の中間転写体１０４は、中間転写体クリーニング装置１７で、画像転写後に中間転写体１０４上に残留する残留トナーを除去し、タンデム画像形成装置２０による再度の画像形成に備える。
さらに、前記画像形成装置に使用し、前記クリーニング装置を有するプロセスカートリッジとすることもでき、これにより、交換作業等が容易になるメリットがある。
【図面の簡単な説明】
【００１８】
【図１】本発明の画像読取装置を示す図である。
【図２】押圧部材の斜視図である。
【図３】原稿送り装置又は圧板の底面に押圧部材が取り付けられた状態の斜視図である。
【図４】本発明の画像読取装置を示す図である。
【図５】シート材と原稿送り装置の嵌合を示す図である。
【図６】本発明の画像形成装置構成を示す図である。
【図７】従来の画像読取装置を示す図である。
【符号の説明】
【００１９】
１  原稿載置台
２  原稿
３  原稿送り装置の底面
３ａ  爪部
４  弾性部材
５ａ  第１シート材
５ｂ  第２シート材
６  原稿送り装置又は圧板を開閉するためのヒンジ
６ａ  回転支点
７  光学ユニット
８  ガイド
９  タイミングベルト
１０  モータ
１１  タイミングプーリ
１２  画像読取装置の筐体
１３  粘着性ゴム（粘着性部材）
１４  案内支持手段
１７  中間転写体クリーニング装置
１８  画像形成手段
２０  タンデム画像形成装置
２１  露光装置
２２  ２次転写装置
２３  ローラ
２４  ２次転写ベルト
２５  定着装置
２６  定着ベルト
２７  加圧ローラ
２８  シート反転装置
３０  原稿台
３２  コンタクトガラス
３３  第１走行体
３４  第２走行体
３５  結像レンズ
３６  読取りセンサ
４２  給紙ローラ
４３  ペーパーバンク
４４  給紙カセット
４５  分離ローラ
４６  給紙路
４７  搬送ローラ
４８  給紙路
４９  レジストローラ
５０  給紙ローラ
５１  手差しトレイ
５２  分離ローラ
５３  手差し給紙路
５５  切換爪
５６  排出ローラ
５７  排紙トレイ
１００  画像形成装置
１０１  感光体ドラム
１０４  中間転写体
１１４  支持ローラ
１１５  支持ローラ
１１６  支持ローラ
２００  給紙テーブル
３００  画像読取装置
【図１】
2008042693.tif 000003
【図２】
2008042693.tif 000004
【図３】
2008042693.tif 000005
【図４】
2008042693.tif 000006
【図５】
2008042693.tif 000007
【図６】
2008042693.tif 000008
【図７】
2008042693.tif 000009